(57)【要約】【課題】  大容量コンテンツデータの配信サービスの利便性を高め，各ユーザの情報処理装置の資源を節約する。【解決手段】  コンテンツ提供システムのクライアント２００に搭載される管理装置２１０は，各コンテンツデータの関連情報をコンテンツアイテム情報（アイテム）３４０として管理し，一または複数のコンテンツアイテム情報を関連付けてコンテンツ番組情報（プログラム）３３０として管理し，一または複数のコンテンツ番組情報をコンテンツ番組目録（雑誌）３２０として管理する。その場合に，一のコンテンツデータおよびその関連情報は複数のコンテンツアイテム情報（アイテム）において共有可能であり，一のコンテンツアイテム情報（アイテム）は複数のコンテンツ番組情報（プログラム）において共有可能であり，一のコンテンツ番組情報（プログラム）は複数のコンテンツ番組目録（雑誌）において共有可能である。【選択図】  図３
2008107911.tif 000002
【特許請求の範囲】
【請求項１】
コンテンツデータを通信網を介して配信可能なコンテンツ提供サーバと，前記コンテンツデータを通信網を介してダウンロード可能なクライアントとから成る，コンテンツ提供システムであって：
前記クライアントは前記コンテンツデータおよびその関連情報を管理する管理装置を搭載可能であり，前記管理装置は，前記各コンテンツデータの関連情報をコンテンツアイテム情報として管理し，一または複数のコンテンツアイテム情報を関連付けてコンテンツ番組情報として管理し，一または複数のコンテンツ番組情報をコンテンツ番組目録として管理し，一のコンテンツデータおよびその関連情報は複数のコンテンツアイテム情報において共有可能であり，一のコンテンツアイテム情報は複数のコンテンツ番組情報において共有可能であり，一のコンテンツ番組情報は複数のコンテンツ番組目録において共有可能であることを特徴とする，コンテンツ提供システム。
【請求項２】
コンテンツデータと，該コンテンツデータおよびその関連情報を管理する管理装置とを通信網を介して配信可能なコンテンツ提供サーバであって：
前記管理装置は，前記各コンテンツデータの管理情報をコンテンツアイテム情報として管理し，一または複数のコンテンツアイテム情報を関連付けてコンテンツ番組情報として管理し，一または複数のコンテンツ番組情報をコンテンツ番組目録として管理し，一のコンテンツデータおよびその関連情報は複数のコンテンツアイテム情報において共有可能であり，一のコンテンツアイテム情報は複数のコンテンツ番組情報において共有可能であり，一のコンテンツ番組情報は複数のコンテンツ番組目録において共有可能であることを特徴とする，コンテンツ提供サーバ。
【請求項３】
前記管理装置は，さらに，複数のコンテンツ番組目録をコンテンツ番組目録リストとして管理することを特徴とする，請求項２に記載のコンテンツ提供サーバ。
【請求項４】
前記管理装置は，複数のコンテンツアイテム情報をコンテンツアイテム情報パック（パックアイテム）として管理し，その場合に，一のコンテンツアイテム情報パックは複数のコンテンツ番組情報において共有可能であることを特徴とする，請求項２に記載のコンテンツ提供サーバ。
【請求項５】
前記コンテンツ番組目録は，提供可能期限を有していることを特徴とする，請求項２に記載のコンテンツ提供サーバ。
【請求項６】
通信網を介して取得したコンテンツデータおよびその関連情報を管理する管理装置が搭載された情報処理装置であって：
前記管理装置は，前記各コンテンツデータの関連情報をコンテンツアイテム情報として管理し，一または複数のコンテンツアイテム情報を関連付けてコンテンツ番組情報として管理し，一または複数のコンテンツ番組情報をコンテンツ番組目録として管理し，その場合に，一のコンテンツデータの関連情報は複数のコンテンツアイテム情報において共有可能であり，一のコンテンツアイテム情報は複数のコンテンツ番組情報において共有可能であり，一のコンテンツ番組情報は複数のコンテンツ番組目録において共有可能であることを特徴とする，情報処理装置。
【請求項７】
前記管理装置は，一体として構成された表示装置または別体として構成され接続可能な表示装置をして，前記管理装置により管理されるコンテンツデータ管理構造を階層的に表示せしめることを特徴とする，情報処理装置。
【請求項８】
前記管理装置は，前記コンテンツ番組情報により管理されるコンテンツアイテム情報が複数の場合には，前記表示装置をして，前記コンテンツアイテム情報に記述される代表コンテンツアイテム情報に基づいて代表コンテンツアイテム情報を表示せしめることを特徴とする，請求項７に記載の情報処理装置。
【請求項９】
さらに，所望の前記コンテンツ番組情報を登録可能な嗜好領域を備えていることを特徴とする，請求項６に記載の情報処理装置。
【請求項１０】
情報処理装置により，記憶装置にダウンロードされたコンテンツおよびその関連情報を管理するためのコンピュータプログラムであって：
前記情報処理装置に組み込まれた管理装置により，前記各コンテンツデータの関連情報をコンテンツアイテム情報として管理し，一または複数のコンテンツアイテム情報を関連付けてコンテンツ番組情報として管理し，一または複数のコンテンツ番組情報をコンテンツ番組目録として管理し，その場合に，一のコンテンツデータおよびその関連情報は複数のコンテンツアイテム情報において共有可能であり，一のコンテンツアイテム情報は複数のコンテンツ番組情報において共有可能であり，一のコンテンツ番組情報は複数のコンテンツ番組目録において共有可能であることを特徴とする，コンピュータプログラム。
【発明の詳細な説明】
【技術分野】
【０００１】
本発明は，動画などの大容量コンテンツデータを扱うコンテンツ提供システム，コンテンツ提供サーバ，情報処理装置およびコンピュータプログラムに関する。
【背景技術】
【０００２】
近年，光ファイバやＡＤＳＬ（Ａｓｙｍｍｅｔｒｉｃ  Ｄｉｇｉｔａｌ  Ｓｕｂｓｃｒｉｂｅｒ  Ｌｉｎｅ）などのいわゆるブロードバンド（大容量高速）通信網が整備され，普及している。また，パーソナルコンピュータや情報家電装置などの情報処理装置にも大容量記憶装置が搭載されるようになってきている。かかるインフラストラクチャに伴い，動画などの大容量コンテンツデータを，ブロードバンド通信網を介して配信するサービスが注目されている。かかる，大容量コンテンツデータを配信するサービスに関する従来技術は，下記のような文献に開示されている。
【特許文献１】特開２００１−７５９４４号公報
【発明の開示】
【発明が解決しようとする課題】
【０００３】
上記のような大容量コンテンツデータ配信サービスを利用する場合，ユーザは，視聴したい大容量コンテンツデータをストリーミング方式で視聴したり，大容量記憶装置にダウンロードしてから視聴したりしている。しかしながら，いくらブロードバンド通信網による配信速度が高速化され，ユーザ所有のクライアントの記憶装置の容量が大きくなったとはいえ，すべての大容量コンテンツデータを無秩序無制限に配信したり，ダウンロードしたりしていたのでは，通信網や情報処理装置に負担がかかり過ぎる。
【０００４】
コンテンツデータ配信サービスから提供されるコンテンツデータの情報量が量的に拡大するにつれて，ユーザが所望のコンテンツデータに到達することも困難と成りつつあり，サービス提供者側にしてもユーザの嗜好を把握して，ユーザのニーズに沿ったコンテンツデータを配信することが困難と成りつつある。
【０００５】
本発明は，かかる技術的背景に鑑みてなされたものであり，大容量コンテンツデータに関する情報を整理し，効率的に各ユーザの情報処理装置に提供するとともに，必要最小限の情報のみを各ユーザの情報処理装置にダウンロードさせることを可能にし，大容量コンテンツデータの配信サービスの利便性を高め，また各ユーザの情報処理装置の資源を節約することが可能な，新規かつ改良されたコンテンツ提供システム，コンテンツ提供サーバ，情報処理装置およびコンピュータプログラムを提供することを目的としている。
【課題を解決するための手段】
【０００６】
まず，本発明の理解を容易にするために，本発明を構成するいくつかの概念について概略的に説明する。
【０００７】
「コンテンツデータ」は，コンテンツ提供サーバから提供され情報内容であり，デジタルデータで表現された文章，音楽，画像，映像，データベース，またはそれらを組み合わせた情報の集合である。
【０００８】
「コンテンツデータの関連情報」は，情報内容に付随するメタデータであり，コンテンツデータのＩＤやバージョン情報や出所情報や有効期限情報やライセンス情報などの各種情報を含む。
【０００９】
「通信網」は，双方向通信可能な公衆回線網であるが，本発明においては，大容量のコンテンツデータを配信等する必要があるので，光ファイバやＡＤＳＬを利用した大容量高速通信網，いわゆるブロードバンド通信網を好適に利用することが可能である。
【００１０】
「コンテンツ提供サーバ」は，クライアントからの要求に応じて，あるいは定期的または不定期に発生するイベントに応じて，クライアントに対して通信網を介してコンテンツデータを提供可能な情報処理装置である。コンテンツデータは，コンテンツ提供サーバ自体が格納し管理しても構わないし，別途，コンテンツデータを格納し管理するコンテンツデータ管理サーバを備えていてもよい。
【００１１】
「クライアント」は，コンテンツ提供サーバから通信網を介して配信されるコンテンツデータを，ストリーミング方式で，あるいはダウンロード方式で，取得することが可能な情報処理装置である。例えば，クライアントは，パーソナルコンピュータや情報家電やＰＤＡ（Ｐｅｒｓｏｎａｌ  Ｄｉｇｉｔａｌ  Ａｓｓｉｓｔａｎｃｅ）のような情報端末として構成される。
【００１２】
「管理装置」は，通信網を介してダウンロードにより，あるいはその他のメディアを介してクライアントを構成する情報処理装置に搭載可能なアプリケーションであって，本発明に特徴的な構成によって，あたかも雑誌のような形態で，コンテンツデータおよびその関連情報を管理する。
【００１３】
「コンテンツアイテム情報」は，動画ファイルなどの対象コンテンツを管理するために対象コンテンツデータに関連するメタ情報を「アイテム（Ｉｔｅｍ）あるいは動画アイテム」として管理する概念である。アイテム情報（アイテム）には，例えば，コンテンツデータのＩＤや製作に関する情報，あるいはサムネイル静止画やサムネイル動画などの各種メタ情報が含まれる。
【００１４】
「コンテンツアイテム情報パック」は，例えば連続物としてグループ化されたコンテンツアイテム情報（アイテムあるいは動画アイテム）を管理する概念であり，一連のコンテンツアイテム情報（アイテムあるいは動画アイテム）を「パックアイテム」として関連付けることにより，サービスの利便性を高めるために導入される概念である。
【００１５】
「代表コンテンツアイテム情報」は，複数のコンテンツアイテム情報がコンテンツ番組情報（プログラム）に関連付けられる場合に，表示装置等に代表的に表示させるコンテンツアイテム情報（代表アイテム）である。
【００１６】
「コンテンツ番組情報」は，コンテンツアイテム情報（アイテム）やコンテンツアイテム情報パック（パックアイテム）を管理するプログラム（Ｐｒｏｇｒａｍ）である。コンテンツ番組情報（プログラム）としては，例えば，映画紹介，商品紹介，ドラマ紹介，ワールドカップ紹介などの上位概念により紐付けられたコンテンツアイテム情報（アイテム
「コンテンツ番組目録」は，所定の関連性をもって編集されたコンテンツ番組情報（プログラム）の目録であり，定期的または不定期に配信される「雑誌（Ｍａｇａｚｉｎｅ）」に例えることが可能である。
【００１７】
「コンテンツ番組目録リスト」は，コンテンツ番組目録（雑誌）のリストであり，コンテンツ提供サービスにより提供されるコンテンツ番組目録がリストアップされる「雑誌リスト（Ｍａｇａｚｉｎｅ  Ｌｉｓｔ）」である。
【００１８】
「嗜好領域」は，ユーザが自らの嗜好に応じて選択したコンテンツ番組情報（プログラム）を登録することができる領域であり，いわゆる「マイライブラリ（ＭｙＬｉｂｒａｒｙ）」である。
【００１９】
なお，以下の説明においては，発明の概念的な理解を容易にするために，「コンテンツアイテム情報」を「アイテム」あるいは「動画アイテム」と称し，「コンテンツアイテム情報パック」を「パックアイテム」と称し，「代表コンテンツアイテム情報」を「代表アイテム」と称し，「コンテンツ番組情報」を「プログラム」と称し，「コンテンツ番組目録」を「雑誌」と称し，「コンテンツ番組目録リスト」を「雑誌リスト」と称し，「嗜好領域」を「マイライブラリ」と称する場合もあるが，本発明はかかる称呼によって限定的に解釈されるべきでなく，あくまでも本明細書に記載された技術的思想に基づいて解釈されるべきであることは言うまでも無い。
【００２０】
上記のような概念を前提として，本発明の第１の観点によれば，コンテンツデータを通信網を介して配信可能なコンテンツ提供サーバと，コンテンツデータを通信網を介してダウンロード可能なクライアントとから成る，コンテンツ提供システムが提供される。クライアントは，コンテンツデータおよびその関連情報を管理する管理装置を搭載可能であり，その管理装置により，各コンテンツデータの関連情報をコンテンツアイテム情報（アイテム）として管理し，一または複数のコンテンツアイテム情報を関連付けてコンテンツ番組情報（プログラム）として管理し，一または複数のコンテンツ番組情報をコンテンツ番組目録（雑誌）として管理し，一のコンテンツデータおよびその関連情報は複数のコンテンツアイテム情報（アイテム）において共有可能であり，一のコンテンツアイテム情報（アイテム）は複数のコンテンツ番組情報（プログラム）において共有可能であり，一のコンテンツ番組情報（プログラム）は複数のコンテンツ番組目録（雑誌）において共有可能であることを特徴としている。
【００２１】
かかる構成によれば，コンテンツデータおよびその関連情報を，コンテンツ番組目録としてあたかも雑誌のように，階層的に管理し提供することができるので，映像のような大容量コンテンツデータ提供サービスの利便性を向上させることができる。同時に，提供される情報は，相互に効率よく共有されて連携されているので，情報が重複して情報処理装置に提供されることがないので，通信網および情報処理装置の資源を節約できる。
【００２２】
上記課題を解決するために，本発明の他の観点によれば，コンテンツデータと，該コンテンツデータおよびその関連情報を管理する管理装置とを通信網を介して配信可能なコンテンツ提供サーバが提供される。コンテンツ提供サーバから配信される管理装置は，各コンテンツデータの管理情報をコンテンツアイテム情報（アイテム）として管理し，一または複数のコンテンツアイテム情報を関連付けてコンテンツ番組情報（プログラム）として管理し，一または複数のコンテンツ番組情報をコンテンツ番組目録（雑誌）として管理し，一のコンテンツデータおよびその関連情報は複数のコンテンツアイテム情報（アイテム）において共有可能であり，一のコンテンツアイテム情報（アイテム）は複数のコンテンツ番組情報（プログラム）において共有可能であり，一のコンテンツ番組情報（プログラム）は複数のコンテンツ番組目録（雑誌）において共有可能である。
【００２３】
かかるコンテンツ提供サーバの管理装置は，さらに，複数のコンテンツ番組目録をコンテンツ番組目録リスト（雑誌リスト）として管理するように構成してもよい。管理装置は，複数の関連するコンテンツデータの関連情報をコンテンツアイテム情報パック（パックアイテム）として管理し，一のコンテンツアイテム情報パック（パックアイテム）は複数のコンテンツ番組情報（プログラム）において共有可能に構成することができる。さらに，コンテンツ番組目録（雑誌）には，提供可能期限を設けてもよい。
【００２４】
上記課題を解決するために，本発明の他の観点によれば，通信網を介して取得したコンテンツデータおよびその関連情報を管理する管理装置が搭載された情報処理装置が提供される。この管理装置は，各コンテンツデータの関連情報をコンテンツアイテム情報（アイテム）として管理し，一または複数のコンテンツアイテム情報（アイテム）を関連付けてコンテンツ番組情報（プログラム）として管理し，一または複数のコンテンツ番組情報（プログラム）をコンテンツ番組目録（雑誌）として管理し，その場合に，一のコンテンツデータの関連情報は複数のコンテンツアイテム情報（アイテム）において共有可能であり，一のコンテンツアイテム情報（アイテム）は複数のコンテンツ番組情報（プログラム）において共有可能であり，一のコンテンツ番組情報（プログラム）は複数のコンテンツ番組目録（雑誌）において共有可能である。
【００２５】
かかる情報処理装置の管理装置は，一体として構成された表示装置または別体として構成され接続可能な表示装置をして，管理装置により管理されるコンテンツデータ管理構造を階層的に表示せしめるように構成してもよい。管理装置は，コンテンツ番組情報（プログラム）により管理されるコンテンツアイテム情報（アイテム）が複数の場合には，表示装置をして，コンテンツアイテム情報（アイテム）に記述される代表コンテンツアイテム情報（代表アイテム）に基づいて代表コンテンツアイテム情報（代表アイテム）を表示せしめるように構成してもよい。さらに，所望のコンテンツ番組情報を登録可能な嗜好領域（ＭｙＬｉｂｒａｒｙ）を設けてもよい。
【００２６】
上記課題を解決するために，本発明の他の観点によれば，情報処理装置により，記憶装置にダウンロードされたコンテンツおよびその関連情報を管理するためのコンピュータプログラムが提供される。このコンピュータプログラムにおいては，情報処理装置に組み込まれた管理装置により，各コンテンツデータの関連情報をコンテンツアイテム情報（アイテム）として管理し，一または複数のコンテンツアイテム情報（アイテム）を関連付けてコンテンツ番組情報（プログラム）として管理し，一または複数のコンテンツ番組情報をコンテンツ番組目録（雑誌）として管理し，その場合に，一のコンテンツデータおよびその関連情報は複数のコンテンツアイテム情報（アイテム）において共有可能であり，一のコンテンツアイテム情報（アイテム）は複数のコンテンツ番組情報（プログラム）において共有可能であり，一のコンテンツ番組情報（プログラム）は複数のコンテンツ番組目録（雑誌）において共有可能である。
【発明の効果】
【００２７】
本発明によれば，コンテンツデータおよびその関連情報を，コンテンツ番組目録としてあたかも雑誌のように，階層的に管理し提供することができるので，映像のような大容量コンテンツデータ提供サービスの利便性を向上させることができる。同時に，提供される情報は，相互に効率よく共有されて連携されているので，情報が重複して情報処理装置に提供されることがないので，通信網および情報処理装置の資源を節約できる。
【発明を実施するための最良の形態】
【００２８】
以下に，添付図面を参照しながら，本発明の好適な実施形態にかかるコンテンツ提供システム，コンテンツ提供サーバ，情報処理装置およびコンピュータプログラムについて詳細に説明する。なお，以下の説明および添付図面において，略同一の機能構成を有する構成要素については，同一の符号を付することにより重複説明を省略する。
（１．  システム構成）
まず図１を参照しながら本発明の好適な実施形態にかかるコンテンツ提供システム１００の概略構成について説明する。
【００２９】
本発明の好適な実施形態にかかるコンテンツ提供システム１００は，動画などの大容量コンテンツデータをブロードバンドなどの大容量高速通信網を介して配信するコンテンツ提供サービスに適用可能である。コンテンツ提供システム１００は，コンテンツ提供サーバ１１０と，ラインセンスサーバ１２０と，ブロードバンド通信網１５０と，クライアント２００とから主に構成される。
【００３０】
コンテンツ提供サーバ１１０は，クライアントからの要求に応じて，あるいは定期的または不定期に発生するイベントに応じて，クライアントに対して通信網を介してコンテンツデータを提供可能な情報処理装置である。イベントとしては，本実施の形態によれば，後述する雑誌情報を電子メール手段などにより配信する方法などを一例と挙げることが可能である。コンテンツデータは，コンテンツ提供サーバ自体が格納し管理しても構わないし，別途，コンテンツデータを格納し管理するコンテンツデータ管理サーバを備えていてもよい。図示の例では，コンテンツ提供サーバ１００は，タスクの分散を図るために，複数のサーバ１１２ａ，１１２ｂ，…，１１２ｎから構成されている。
【００３１】
ライセンスサーバ１２０は，コンテンツ提供サービスを利用するユーザ／クライアントを管理する情報処理装置である。図示のように，ライセンスサーバ１２０は，コンテンツ／ライセンスに関するデータを格納するコンテンツ／ライセンスデータベース１２２と，会員情報を格納する会員データベース１２４と，ライセンスを管理するライセンス管理装置１２６と，ユーザ認証を管理する認証装置１２８と，課金情報を管理する課金管理装置１３０と，ユーザに対するポータルとして機能するウェブサーバ１３２とから主に構成されている。
【００３２】
通信網１５０は，双方向通信可能な公衆回線網であるが，本実施の形態においては，大容量のコンテンツデータを配信等する必要があるので，光ファイバやＡＤＳＬを利用した大容量高速通信網，いわゆるブロードバンド通信網を採用している。
【００３３】
クライアント２００は，コンテンツ提供サーバから通信網を介して配信されるコンテンツデータを，ストリーミング方式で，あるいはダウンロード方式で，取得することが可能な情報処理装置であり，例えば，パーソナルコンピュータや情報家電やＰＤＡのような情報端末である。その詳細な構成については，図２に関連して後述する。
【００３４】
図２は，本発明の好適な実施形態にかかるクライアント２００の概略構成を示すブロック図である。
【００３５】
図２に示すように，クライアント２００は，コンテンツデータおよびその関連情報を管理するアプリケーションプログラムとして構成することが可能な管理装置２１０と，クライアントの計時管理を行うＰＣ時計２１２と，ダウンロードしたコンテンツデータを格納するコンテンツデータファイル２１４と，ライセンス情報を格納するライセンス情報ファイル２１６と，ユーザ情報／機器情報を格納するユーザ情報／機器情報ファイル２１８とを備えている。
【００３６】
管理装置は２１０は，コンテンツ提供サーバ１１０などから通信網１５０を介してダウンロードすることも可能であるし，クライアント２００に予め搭載したり，あるいは他の記憶メディアを介してインストールしたりすることができる。
【００３７】
管理装置２１０は，コンテンツ提供サーバ１１０と双方向通信してコンテンツデータおよびその関連情報をダウンロードすることが可能なサーバインタフェース２１０ａと，ＰＣ時計２１２からクロック信号を受けて時刻管理を行う時刻管理装置２１０ｂと，システム全体の制御を行うシステム制御装置２１０ｃと，ユーザ２２２に対してサービス内容を表示するとともにユーザ２２２からの要求を受けるＧＵＩ（Ｇｒａｐｈｉｃａｌ  Ｕｓｅｒ  Ｉｎｔｅｒｆａｃｅ）として構成されるユーザインタフェース部２１０ｅと，コンテンツデータファイル２１４やライセンス情報ファイル２１６と連携してコンテンツ／ライセンスの管理を行うコンテンツ／ライセンス管理装置２１０ｄとを主に含んでいる。
【００３８】
上記コンテンツ提供システムを利用するにあたり，ユーザ２２２は，図１に示すような手順によりサービスの提供を受けることが可能である。まず，ユーザ２２２は，本実施形態に基づいて配信される雑誌情報などに基づいて，クライアント２００からウェブサーバ１３２にアクセスし，ログインを行い，認証装置１２８から認証を受ける（Ｓ１０２）。ついで，ウェブサーバ１３２を介してコンテンツ提供サーバ１１０が管理するコンテンツデータの中から所望のコンテンツデータを選択し，課金管理装置１３０との間で，料金の精算を行う（Ｓ１０４）。その後，ライセンス管理装置１２６からライセンスを受ける（Ｓ１０６）。その後，コンテンツ提供サーバ１１０から所望のコンテンツデータの提供を受ける（Ｓ１０８）。
【００３９】
実際に，かかるサービスを利用する場合に，ユーザが所望のコンテンツ情報にアクセスすることは困難な場合が多い。そこで，本実施の形態によれば，定期または不定期に配信される雑誌のようなデータ構造によりコンテンツデータに関する情報をユーザに提供することにより，ユーザの嗜好にあった，あるいはサービス提供者側がお勧めのコンテンツデータにユーザを誘導して，ユーザおよびサービス提供者双方の利便性を図るとともに，不必要なあるいは重複するコンテンツデータがクライアントの記憶装置に格納されないように工夫をしている。
【００４０】
本実施の形態にかかるデータ構造の特徴については，図３以下において詳細に説明する。
（２．  データ構造）
図３は，本発明の好適な実施の形態にかかるコンテンツデータ提供サービスにおいて採用されるデータ構造３００を階層的に示したものである。さらに，図４は，さらに，各階層構造に含まれるメタ情報の一例を示している。
【００４１】
図３および図４に示すように，データ構造３００は，最上層に雑誌リスト情報３１０をその下層に雑誌情報３２０（３２０ａ，３２０ｂ，…，３２０ｎ），プログラム情報３３０（３３０ａ，３３０ｂ，…，３３０ｎ），アイテム情報３４０（３４０ａ，３４０ｂ，…，３４０ｎ）を階層的に配した構造を有している。なお，後述するようにアイテム３４０はグループ化してパックアイテム情報３５０としてプログラム３３０の下層に配することも可能である。その場合に，アイテム情報３４０とパックアイテム情報３５０とは同階層に配することも可能であるし，アイテム情報３４０をパックアイテム情報３５０の階層に配することも可能であるし，これらの配置構造を共存させることも可能である。
【００４２】
このように，本実施の形態によれば，コンテンツデータ提供サービスのサービス対象商品であるコンテンツデータは，雑誌リスト３１０，雑誌３２０，プログラム３３０，アイテム３４０そしてパックアイテム３５０の５つの情報に分けて管理される。
【００４３】
その結果，ユーザは，ある上位概念（編集方針）に沿った雑誌のようなデータ構造によりコンテンツデータの情報を得ることができるので，嗜好にあった情報を発見しやすい。またサービス提供者側も，ユーザを誘導したいコンテンツデータを整理した形でユーザに提示することにより，サービスの利用効率を増大させることができる。
【００４４】
また，図３および図４に示すデータ構造の特徴的な点は，下位の情報を上位の情報において共有できる点である。その結果，ダウンロード量を大幅に軽減することが可能なので，通信網およびクライアント（情報処理装置）側の資源を大幅に節減することが可能である。かかる共有概念については，図１８〜図１９に関連して詳細に説明するので，ここでは単に言及するだけにとどめる。
【００４５】
以下，各情報について，各情報に含まれる対象データ例を参照しながら詳述する。なお，各情報は，ＸＭＬ（ｅＸｔｅｎｓｉｂｌｅ  Ｍａｒｋ−ｕｐ  Ｌａｎｇｕａｇｅ）のようなメタ言語で記述することができる。
（２．１  雑誌リスト情報）
図５に雑誌リスト情報の対象データの一例を示し，図６に雑誌リスト情報のＸＭＬ構成例を示す。
【００４６】
「雑誌リスト」情報は，コンテンツ番組目録（雑誌）のリストであり，コンテンツ提供サービスにより提供されるコンテンツ番組目録がリストアップされたものである。通常は，クライアントの記憶装置内に格納される。雑誌リストには，誰にでも配送される基本雑誌のリストと個人別に購読を行う契約雑誌のリストが含まれる。
【００４７】
クライアントは，定期的にまたは不定期に行われるポーリング時に，この雑誌リスト情報のバージョン番号の更新を監視する。この雑誌リスト情報から，雑誌の追加，削除，更新を検知し，クライアントの保持する雑誌データの追加，更新，削除を行う。雑誌リストには，コンテンツ提供サービスにて提供される全ての雑誌が表示順に並んでいて，クライアントは共通プロファイルから取得した基本雑誌情報と，個人プロファイルから取得した契約雑誌情報とに基づいて，この雑誌リスト情報をフィルタし，表示順序を決定することができる。
【００４８】
雑誌リスト情報には，例えば，以下の情報が含まれている。
（１）雑誌リストバージョン，（２）雑誌ＩＤ，（３）雑誌メジャーバージョン，（４）雑誌マイナーバージョン，（５）その他情報
（２．２  雑誌情報）
図７に雑誌情報の対象データの一例を示し，図８に雑誌情報のＸＭＬ構成例を示す。
【００４９】
「雑誌」情報は，所定の関連性をもって編集されたコンテンツ番組情報（プログラム）の目録であり，クライアントに対して，定期的または不定期に配信される。通常は，クライアントの記憶装置内に格納される。
【００５０】
雑誌は，雑誌に含まれるプログラムのＩＤ番号を管理する。雑誌は，雑誌を表すＩＤと，その月号に該当するメジャーバージョン，更新のたびにインクリメントされるマイナーバージョンの３つで特定される。雑誌には，通常の紙媒体の雑誌と同様に，提供開始及び提供終了期間がある。ユーザは，提供開始前の雑誌の内容を雑誌予告として知ることができるのみで利用することができない場合がある。同様に，ユーザは，提供終了期間後には，雑誌内容へのアクセスが制限される場合がある。
【００５１】
この雑誌情報には，例えば，以下の情報が含まれる。
（１）雑誌ＩＤ，（２）雑誌メジャーバージョン，（３）雑誌マイナーバージョン，（４）雑誌提供開始日，（５）雑誌提供終了日，（６）雑誌トップ用の動画アイテム（代表アイテム）のＩＤ，（７）雑誌見出しテキストデータ，（８）雑誌が提供するプログラムのＩＤ，（９）その他情報
（２．３  プログラム情報）
図９および図１０にプログラム情報の対象データの一例を示し，図１１および図１２にプログラム情報のＸＭＬ構成例を示す。
【００５２】
「プログラム」情報は，コンテンツ番組情報であり，コンテンツアイテム情報（アイテム）やコンテンツアイテム情報パック（パックアイテム）を管理する。プログラム情報は，通常は，所定の編集方針，例えば映画紹介，商品紹介，ドラマ紹介，スポーツ紹介などの編集方針に基づいてアイテムやパックアイテムを選択して管理する。またプログラムのメタ情報には，アイテムやパックアイテムの表示，更新，追加，削除あるいはコンテンツデータのダウンロードといった，各種タスクを起動させるための機能アイコンに関する情報が埋め込まれる。
【００５３】
また，プログラムに含まれる複数の動画アイテムに対して，そのプログラムを代表する動画アイテムかどうかを示すフラグも，このプログラムのメタ情報に含まれる。検索や嗜好領域（マイライブラリ）への登録などは，原則としてプログラム単位で行われる。このように，プログラムは本実施の形態にかかるデータ構造の中核をなすものなので，クライアントの個人領域においてはプログラムのダウンロードステータスを管理する必要がある
プログラム情報には，例えば，以下の情報が含まれる。
（１）プログラムＩＤ，（２）プログラムバージョン，（３）プログラムに含まれるアイテムのＩＤ，（４）プログラムに含まれるパックアイテムのＩＤ，（５）代表アイテムのＩＤ，（６）その他情報
ここで，代表アイテム情報は，複数のコンテンツアイテム情報がコンテンツ番組情報（プログラム）に関連付けられる場合に，表示装置等に代表的に表示させるコンテンツアイテム情報（代表アイテム）である。
（２．４  アイテム情報）
図１３および図１４にアイテム情報の対象データの一例を示し，図１５にアイテム情報のＸＭＬ構成例を示す。
【００５４】
アイテム情報は，動画ファイルなどの対象コンテンツを管理するために対象コンテンツデータに関連するメタ情報を「アイテムあるいは動画アイテム」として管理する概念である。アイテム情報は，「商品照会情報」，すなわち，アイテムを単品として販売する時のあらすじやキャスト，評価などを管理する。さらに，アイテム情報は，「価格情報」，すなわち，アイテムを単品として販売する時の価格，クーポン数，販売種別を管理する。アイテム情報は，ライセンス情報，すなわち，アイテムを単品として販売する時のライセンス期間を管理する。
【００５５】
さらに，このアイテム情報により，クライアントの個人領域におけるアイテムのダウンロードステータスを管理する必要がある。同様に，このアイテム情報により，クライアントの個人領域においては動画アイテムのライセンス有効期間を管理する必要がある。
【００５６】
アイテム情報には，例えば，以下の情報が含まれる。
（１）動画アイテムＩＤ，（２）あらすじ，キャスト，（３）評価，（４）価格，クーポン，（５）販売種別（無料，有料，基本サービス），（６）ライセンス期間，（７）動画ファイルＵＲＬ，（８）動画ファイル容量，（９）その他
（２．５  パックアイテム情報）
図１６にパックアイテム情報の対象データの一例を示し，図１７にパックアイテム情報のＸＭＬ構成例を示す。
【００５７】
パックアイテム情報は，例えば連続物としてグループ化されたコンテンツアイテム情報（アイテムあるいは動画アイテム）を管理する概念であり，パック化することにより，サービスの利便性を高めるために導入される概念である。すなわち，ユーザ側はドラマなどの複数回にわたるコンテンツデータをもれなくパックとして利用することが可能であるし，サービス提供側にとっては関連するコンテンツデータをパック化してユーザに提供することにより販売機会を増大させることができる。
【００５８】
パックアイテム情報は，パックアイテムに含まれる動画アイテムのＩＤ番号を管理する。さらに，パックアイテム情報は，商品照会情報，すなわち，アイテムをパックアイテム商品として販売する際の利便性を向上するために，全体アイテムあるいは各アイテムのあらすじやキャスト，評価などを管理する。パックアイテム情報は，さらに，価格情報，すなわち，アイテムをパックアイテムとして販売する時の価格，クーポン数，販売種別を管理する。パックアイテム情報は，ライセンス情報，すなわち，アイテムをパックアイテムとして販売する時のライセンス期間も管理する。
【００５９】
パックアイテムには，例えば，以下の情報が含まれる。
（１）パックアイテムＩＤ，（２）バージョン番号，（３）あらすじ，キャスト，（４）評価，（５）価格，クーポン数，（６）販売種別（無料，有料，基本サービス），（７）ライセンス期間，（８）パックアイテムに含まれる動画アイテムのＩＤ，（９）その他情報
（３  情報の共有）
次に図１８〜図２１を参照しながら情報の共有概念について説明する。すなわち，本実施の形態によれば，コンテンツデータやアイテムを複数のプログラムやパックアイテムにより参照することができる。
【００６０】
本実施の形態にかかるデータ構造によれば，一のコンテンツデータおよびその関連情報は複数のアイテム情報において共有可能であり，一のアイテム情報は複数のプログラム情報において共有可能であり，一のプログラム情報は複数の雑誌において共有可能である。このように，下位の情報を上位の情報において共有を図ることにより，通信網およびクライアントのハードウェア資源を節約することが可能である。またコンテンツデータのライセンス管理も容易に行えるようになる。
【００６１】
図１８は，一のコンテンツデータを複数のアイテムで共有する場合を示す説明図である。図示の例では，プログラム１からアイテム１経由でコンテンツデータ１のライセンスを購入している。購入したライセンスが現在有効な場合であっても，プログラム２はアイテム１と関連性を持たないので，プログラム２の画面ではライセンスが無効と表示される。これに対して，プログラム１の画面では，コンテンツデータ１は「１００％ＤＬ済み」と表示され，ライセンスの有効性が確認される。
【００６２】
図１９は，一のアイテムを複数のプログラムで共有する場合を示す説明図である。図示の例では，プログラム１からアイテム１経由でコンテンツデータ１のライセンスを購入している。しかしながら，図１８の場合と異なり，アイテム１は，プログラム１とプログラム２において共有されている。したがって，購入したライセンスが現在有効な場合は，プログラム１の画面でもプログラム２の画面でも，ライセンスが有効であると表示され，コンテンツデータ１は「１００％ＤＬ済み」と表示される。
【００６３】
図２０は，一のコンテンツデータを複数のアイテムで共有する場合であり，特に一方のアイテムがパックアイテムとして構成されている場合である。図示の例では，プログラム１からアイテム１経由でコンテンツデータ１のライセンスを購入している。またプログラム１からパックアイテム１およびアイテム３を経由してコンテンツデータ２のライセンスを購入している。この場合，アイテム１はプログラム１にのみ関連を持っている。アイテム２はコンテンツデータ１と関連を持っているが，プログラム１とは情報を共有していない。したがって，コンテンツデータ１に対するライセンスが現在有効であっても，プログラム２の画面ではライセンスが無効と表示される。またコンテンツデータ２に関しては，プログラム２はパックアイテム１およびアイテム３を介して情報を共有するが，ダウンロードが完了していないので，プログラム２においては，「未ダウンロード」という表示がなされる。
【００６４】
図２１は，一のアイテムをパックアイテムとプログラムで共有する場合である。すなわち，パックアイテム１からアイテム２の本編再生をしようとすると，パックアイテムとしての課金処理が発生するが，このときアイテム１の有効なライセンスがあるので，２重購入しようとするとアイテム１が２つのライセンスを持つことになる。このように，パックアイテムの下のアイテムは他のパックやプログラムに属することを許可するが，２重に購入が発生する場合には，表示上のアイテムのライセンスはより期間の長いほうを採用するように構成することが可能である。
（４．  画面構成例）
以下に，本実施の形態にかかるデータ構造の表示方法について図面を参照しながら説明する。まず，発明の理解を容易にするために，コンテンツデータ提供サービスを利用するユーザのクライアント側に表示される「プログラム」の基本画面構成例を示す。次いで，本実施の形態にかかるデータ構造にかかる「雑誌リスト」，「雑誌」，「プログラム」，「アイテム」，「パックアイテム」といったメタデータ情報が画面上にどのように反映するかについて，図面を参照しながら説明する。
（４．１  基本画面構成）
図２２は，コンテンツデータ提供サービスを利用するユーザのクライアント側に表示される画面構成例として，プログラム画面（映画照会ページ）のイメージを示したものである。図示のように，画面３００には，「タイトル」３０２，「ＤＬステータス」３０４，「ライセンス有効期限」３０６，「キャスト」３０８，「価格」３１０，「評価」３１２，「あらすじ」３１４，「ＤＬ／本編」３１６，「予告編」３１８，「ＭｙＬｉｂｒａｒｙへ」３２０，「ＤＶＤ」３２２，「関連商品」３２４，「ＶＯＴＥ」３２６，「薦める」３２８，「トレイラ表示」３３０などの項目が表示される。これらの各表示項目に含まれるメタデータの概略は下記の通りである。
【００６５】
「タイトル」３０２は，このプログラムの代表アイテムのタイトルを表示する。例えば，１行で表示し，表示が足りない時は「．．．」を最後に入れて改行しないように構成される。  「ＤＬステータス」３０４は，このプログラム全体のＤＬステータス（％など）を表示する。ＤＬ中のときのみ表示される。
【００６６】
「ライセンスの有効期限」３０６は，ライセンスの有効期限を表示する。なお，パックアイテムの場合には，パックアイテムは他のプログラムやパックアイテムに参照されるので，以下のように処理する。パックアイテムの配下のアイテムのライセンスがすべて有効であればパックアイテムとしてライセンス有効であり，一つでもライセンス無効なアイテムがあればパックアイテムとしてライセンス無効であるとする。パックアイテムのライセンスが有効な時に，そのライセンスの有効期間はパックアイテムの配下のアイテムの中で最短のものとする。
【００６７】
「キャスト」３０８は，このプログラムの代表アイテムのキャスティング情報を表示する。なお，パックアイテムの場合には，パックアイテムに属するアイテムのキャスティング情報は無視される。
【００６８】
「価格」３１０は，このプログラムの代表アイテムの価格情報を表示する。パックアイテムの場合には，パックアイテムに属するアイテムの価格情報は無視される。
【００６９】
「評価」３１２は，このプログラムの代表アイテムの評価情報を表示する。パックアイテムの場合には，パックアイテムに属するアイテムの評価情報は無視される。
【００７０】
「あらすじ」３１４は，このプログラムの代表アイテムのあらすじを表示する。パックアイテムの場合には，パックアイテムに属するアイテムのあらすじ情報は無視される。
【００７１】
「ＤＬ／本編（アイコン）」３１６のメタデータには，このアイコンに表示するためのテキスト情報とこのアイコンに対応したパックアイテムまたはアイテムが記述されている。このアイコンを押下するとプログラムのメタ情報にある動作，例えば，全画面表示をする。
【００７２】
「予告編（アイコン）」３１８は，ＤＬ／本編（アイコン）と同様の機能を有する。
【００７３】
「ＭｙＬｉｂｒａｒｙへ（アイコン）」３２０は，機能アイコンであり，このプログラム全体をＭｙＬｉｂｒａｒｙへ登録する。
【００７４】
「ＤＶＤ（アイコン）」３２２のメタデータには，このアイコンに表示するためのテキスト情報とこのアイコンに対応したパックアイテムまたは動画アイテムが記述されている。このアイコンを押下するとプログラムのメタ情報にある動作，例えばアイテム情報表示が行われる。
【００７５】
「関連商品（アイコン）」３２４は，ＤＶＤ（アイコン）と同様の機能を有する。
【００７６】
「ＶＯＴＥ（アイコン）」３２６は，このプログラムの代表アイテムに対する投票を行う画面に遷移する。
【００７７】
「友達に薦める（アイコン）」３２８は，このプログラムを友達に勧めるための画面に遷移する。プログラム単位で薦めても良いし，アイテム単位で薦めても良い。
【００７８】
「トレイラ画像」３３０には，アイコンと同様に，何らかのアイテムを割り当てられ，例えば，割り当てられたアイテムの動画データを再生する。
【００７９】
基本画面には，以上説明したような表示項目が表示される。
【００８０】
次に，図２３〜図４１を参照しながら，本実施の形態にかかるデータ構造の各構成要素の具体的表示例について説明する。
（４．２  雑誌リスト画面）
図２３には，本実施の形態にかかるコンテンツデータ提供システムから提供される雑誌の一覧を示す雑誌リスト画面が示されている。
【００８１】
「画面タイトル」５０２には，本画面のタイトル「今月のマガジン紹介」が示されている。雑誌サムネイル５０４には，サービスが取り扱っている雑誌の一覧が表示される。
【００８２】
また，選択された雑誌サムネイルに合わせて，「雑誌名」５０６，「特集タイトル」５０８，「雑誌説明テキスト」５１０が表示される。表示するサムネイルの数が多い場合には，例えば，雑誌リストの登録順で上位１０個が表示される。
【００８３】
なお「ＴＯＰへ」アイコン５１２は，図２４に示すトップ画面への遷移を発火させる機能アイコンである。
（４．３  トップ画面）
図２４には，本実施の形態にかかるコンテンツデータ提供システムを利用する場合のトップ画面が示されている。
【００８４】
「雑誌サムネイル」５１４は，選択した雑誌のクリップ画面（図２５）に遷移する機能アイコンである。「雑誌サムネイル」５１４の初期の表示位置は雑誌リスト（登録順）により決定される。
【００８５】
「生活情報領域」５１６には，プラグインにより提供された生活情報が表示される。画面の例では，天気予報情報が表示されている。
【００８６】
「時計領域」５１８には，クライアント端末のシステム時刻が表示される。
【００８７】
「お知らせアイコン」５２０は，お知らせ画面に遷移する機能アイコンである。また，新着のお知らせ（未読のお知らせ）情報がある場合には，アイコンが点滅するように構成することができる。
【００８８】
「サービスライブラリアイコン」５２２は，ユーザが利用可能なサービスライブラリ情報に遷移する機能アイコンであり，ユーザが利用可能の場合のみ表示される。
【００８９】
「マイライブラリ」アイコン５２４は，後述するマイライブラリ画面に遷移する機能アイコンである。ユーザが手動ダウンロードしダウンロード完了時にアイコンを点滅するように構成してもよい。
【００９０】
「設定」アイコン５２６は，設定変更画面に遷移する機能アイコンである。
【００９１】
「会員情報」アイコン５２８は，ユーザが会員の場合のみ表示される機能アイコンであり，発火された場合には，会員情報を表示するためのウェブブラウザが機能される。入会前は，「会員情報」アイコン５２８の代わりに入会アイコン（不図示）が表示される。
【００９２】
「ヘルプ／質問」アイコン５３０は，ヘルプ／質問を表示するためのウェブブラウザを起動するための機能アイコンである。
【００９３】
「雑誌紹介」アイコン５３２は，雑誌紹介画面に遷移する機能アイコンである。
【００９４】
「ウェルカムメッセージ領域」５３４には，ユーザ毎にカスタマイズされた情報が表示される。例えば，ユーザハンドル名やユーザ宛メッセージを表示することができる。
（４．４  クリップ画面）
図２４には，図２５の「雑誌サムネイル」５１４を発火することにより遷移するクリップ画面の一例が示されている。
【００９５】
「見出し領域」５３４には，雑誌コンセプトの要約が表示される。
【００９６】
「左スクロール」アイコン５３６は，左側の雑誌にスクロール可能な場合に表示される機能アイコンである。
【００９７】
「雑誌内容テキスト領域」５３８は，雑誌の内容を表すテキストデータをティッカー式に表示する領域である。
【００９８】
「画像領域」５４０は，雑誌コンセプトを表すイメージ画像を（動画，静止画）表示する領域である。
【００９９】
「マイライブラリ」アイコン５４２は，ユーザが利用可能の場合のみ表示され，マイライブラリ画面に遷移する機能アイコンである。
【０１００】
「トップへ」アイコン５４４は，図２４に示すトップ画面に遷移する機能アイコンである。
【０１０１】
「プログラム」アイコン５４６は，図３０〜図３２に示す映画紹介ページや図３３に示す商品紹介ページなどのプログラム画面に遷移する機能アイコンである。
【０１０２】
「右スクロールアイコン」５４８は，右側の雑誌にスクロール可能な場合に表示される機能アイコンである。
【０１０３】
「次回予告」アイコン５５０は，次回配布される雑誌の内容を表示する機能アイコンであり，例えば，図２６に示すような次回の雑誌の静止画とテキストを表示することができる。
【０１０４】
「背景画像領域」５５２には，所定の背景画像が表示可能である。例えば，全ての雑誌に対して，企業ロゴ，ブランド名入りの静止画を背景として表示することができる。
（４．５  次回予告画面）
図２６には，図２５のクリップ画面において，「次回予告」アイコン５５０を押下することにより遷移される次回予告画面の一例が示されている。
【０１０５】
「画像領域」５５４には，次回の雑誌の静止画とテキストが表示される。
【０１０６】
「戻る」アイコン５５６は，図２５のクリップ画面に戻る機能アイコンである。
（４．６  本編画面）
図２７〜図２９には，コンテンツデータ提供サーバからクライアントにダウンロードされた動画コンテンツの本編画面の一例が示されている。なお，図２７は，５倍の早送り画面であり，図２８は，一時停止画面であり，図２９は，音量設定中画面をそれぞれ示している。
【０１０７】
「画像領域」５５８は，プログラムの本編を表示する領域である。
【０１０８】
「再生」アイコン５６０は，雑誌の本編を再生する機能アイコンである。「再生」アイコン５６０が押下されると本編が再生される。なお，前回再生時に途中で停止した場合に，「再生」アイコン５６０が再押下されると，停止箇所から続けて再生が行われる。再生中には，アイコンは「一時停止」アイコン５６２に切り替わる。最後まで再生した後は，図３０に示すプログラム（映画紹介ページ）画面に遷移する。
【０１０９】
「一時停止」アイコン５６２は，再生中の動画を一時停止する機能アイコンである。「一時停止」アイコン５６２が押下されると，アイコンは「再生」アイコン５６０に切り替わる。「停止」アイコン５６４は，再生中の動画を停止し，プログラム（映画紹介ページ）画面に遷移する機能アイコンである。
【０１１０】
「早送り」アイコン５６６は，動画を早送りする機能アイコンである。例えば，「Ｅｎｔｅｒ」アイコンを押す度に，５倍，１５倍，３０倍，７０倍，１００倍の５段階（ループ）に切り替わるように構成することができる。なお，最後まで早送りした場合は，プログラム（映画紹介ページ）に遷移する。
【０１１１】
「巻き戻し」アイコン５６８は，動画を巻き戻す機能アイコンである。「早送り」アイコン５６６と同様に，「Ｅｎｔｅｒ」を押す度に５倍，１５倍，３０倍，７０倍，１００倍の５段階（ループ）に切り替わるように構成することができる。頭まで巻き戻した場合は，画像は一時停止状態となる。
【０１１２】
「音量変更」アイコン５７０は，「音量設定」アイコン５７２を表示する機能アイコンである。
【０１１３】
「音量設定」アイコン５７２は，キーボードの「左右キー」にて，ボリュームのアップ／ダウンを操作する機能アイコンである。
【０１１４】
「字幕」アイコン５７４は，字幕切り替えのオン／オフを行う機能アイコンである。切り替える字幕がない場合は，アイコンは表示されない。また，「字幕」アイコン５７４にフォーカスがあたった時には，「Ｅｎｔｅｒ」を押す度に選択された字幕のオン／オフが表示される。
【０１１５】
「状態」アイコン５７６は，現段階のアイコン位置に応じて，ステータス，チュートリアルを表示する。例えば，「ステータス表示」としては，「早送り」，「巻き戻し」を選択時に倍率（×３０など）を表示する。「チュートリアル表示」としては，「音量調節」にフォーカスがあたった時に『「Ｅｎｔｅｒ」キーで音量調節』を表示する。「字幕」にフォーカスがあたった時に『「Ｅｎｔｅｒ」キーで字幕ＯＮ／ＯＦＦ切替』を表示する。
【０１１６】
「先頭頭出し」アイコン５７８は，動画を先頭に巻き戻す機能アイコンである。先頭まで巻き戻し後，画像は一時停止状態となる。
（４．７  プログラム画面（映画紹介ページ））
図３０〜図３２には，プログラム画面（映画紹介ページ）の一例が示されている。なお，図３２〜図３２に示すプログラム画面は，パックアイテム情報を扱う画面構成であるが，アイテム情報単体を扱う画面構成についても基本的には同一の画面構成なので，アイテム情報単体を扱う画面構成についての詳細説明については省略する。
【０１１７】
「映画タイトル（邦題）」領域５８０は，映画タイトル（邦題）を１行で表示する領域である。なお，表示しきれない場合は，文言の最後に・・・を表示し省略するように構成することができる。
【０１１８】
「映画タイトル（英題）」領域５８２は，映画タイトル（英題）を１行で表示する領域である。この領域でも，表示しきれない場合は，文言の最後に・・・を表示し省略するように構成することができる。
【０１１９】
「ダウンロード状態表示」領域５８４は，コンテンツデータのダウンロード状態を表示する領域であり，例えば，本編（代表アイテムに紐付けられた動画）のダウンロードの状態，購入状態を１０％刻みで表示する。また各種アイコンを表示させて，例えば，「ダウンロード中」，「ライセンス未購入，未ダウンロード」，「無料，ストリーミング」といったような状態を表示することができる。
【０１２０】
「評価情報」領域５８６においては，プログラムの評価情報を表示することができる。評価情報はさまざまに選択可能であり，図示の例では，「大爆笑」「ロマンチック」「ノスタルジック」といった評価基準が示されている。
【０１２１】
「映画のプロモーション画像」領域５８８においては，映画のプロモーション用のサムネイル静止画やサムネイル動画などが表示される。また，本実施の形態においては，提供される映画が，「５話パック」のパックアイテムであることも表示される。
【０１２２】
「プログラム詳細表示用キャスト」領域５９０には，プログラムの詳細情報が表示される。例えば，監督・出演者・上映時間・容量・製作国・年度・ジャンルなど取得したテキストをそのまま表示することができる。
【０１２３】
「あらすじ」領域５９２では，映画のあらすじを表示する。本実施の形態では，パックアイテムに関するプログラムなので，各アイテムのあらすじが紹介される。
【０１２４】
「予告編視聴」アイコン５９４は，アイコンの押下により，予告編画面に遷移させる機能アイコンである。
【０１２５】
「本編視聴」アイコン５９６は，アイコンの押下により，本編画面に遷移させる機能アイコンである。なお，本編がダウンロードされていない場合には，ダウンロードを促す警告画面に遷移する。本編がダウンロード済みの場合には，アイコンの押下により，図２７〜図２９に示すような本編画面に遷移する。本編がダウンロード中の場合には，ダウンロード中であることを警告する警告画面に遷移する。
【０１２６】
「マイライブラリ登録（ダウンロード）」アイコン５９８は，表示されているプログラムをマイライブラリに登録する画面に遷移させる機能アイコンである。ユーザが正規に利用可能な場合のみマイライブラリへの登録を許可する。マイライブラリへの登録にあたり，本編がダウンロードされていない場合は，図３４に示す，ダウンロード確認画面に遷移する。本編がダウンロード中，またはダウンロード済みの場合には，図３５に示す，マイライブラリ登録完了画面に遷移する。
【０１２７】
「ショップ」アイコン６００は，ユーザをプログラムに付随する商品に関する情報に導くアイコンであり，アイコンを押下することにより，図３１に示すような「ＤＶＤ」アイコン６０８，「関連グッズ」アイコン６１０，「閉じる」アイコン６１２などから成るサブアイコンリストをポップアップ表示させることができる。
【０１２８】
「お勧めメール」アイコン６０２は，おすすめメールウェブを表示するためにウェブブラウザを起動させる機能アイコンである。「お勧めメール」アイコン６０２を介して，ユーザはお気に入りのプログラムを友人にお勧めすることが可能となる。
【０１２９】
「投票」アイコン６０４は，プログラムに対する評価を投票することが可能なウェブブラウザを起動する。このウェブブラウザにおける投票行動が，「評価情報」領域５８６に表示される評価アイコンに繁栄されることになる。
【０１３０】
「戻る」アイコン６０６は，アイコンの押下により，直前の画面に遷移させる機能アイコンである。
【０１３１】
「ＤＶＤ」アイコン６０８は，「ショップ」アイコン６００によりポップアップされるサブアイコンリストであり，このアイコンを押下することにより，ウェブブラウザを起動させ，プログラムに関連するＤＶＤを販売するウェブサイトにユーザを導くことが可能である。
【０１３２】
「関連グッズ」アイコン６１０は，「ショップ」アイコン６００によりポップアップされるサブアイコンリストであり，このアイコンを押下することにより，ウェブブラウザを起動させ，プログラムに関連するグッズを販売するウェブサイトにユーザを導くことが可能である。
【０１３３】
「閉じる」アイコン６１２は，図３１に示すような「ＤＶＤ」アイコン６０８，「関連グッズ」アイコン６１０，「閉じる」アイコン６１２などから成るサブアイコンリストを閉じる機能アイコンである。
【０１３４】
「クリップ画面」領域６１４には，表示されているプログラム画面に含まれるアイテムのサムネイル静止画やサムネイル動画が表示される。プログラム画面が複数のアイテムを含む場合には代表アイテムのサムネイル静止画やサムネイル動画が表示される。なお，「クリップ画面」領域６１４に表示されているクリップ画面に関連するアイテムが，単独アイテムなのかパックアイテムなのかも同時に明示される。図示の例では，クリップ画面は，５話パックから成るパックアイテムであることが理解される。
【０１３５】
「本編視聴サブリスト」アイコン６１６においては，現在本編再生が可能なアイテムの状態を表示するサブリストがポップアップ表示される。図示の例では，パックアイテムなので，パックアイテムに含まれる各アイテムの視聴可能状態が表示される。すなわち，図示の「本編視聴サブリスト」アイコン６１６から，第１話と第２話がダウンロード済みであり，第３話がダウンロード中であり，第４話と第５話が未ダウンロードであることが分かる。このプログラムが単体のアイテムに関するものであれば，このサブリストには単体アイテムに関する状態のみが表示される。
（４．８  プログラム（商品紹介ページ））
図３３には，プログラム（商品紹介ページ）の画面構成例が示されている。
【０１３６】
「商品タイトル（邦題）」領域６１８には，商品タイトル（邦題）が１行で表示される。表示しきれない場合は，文言の最後に・・・を表示し省略される。
【０１３７】
「商品タイトル（英題）」領域６２０には，商品タイトル（英題）が１行で表示される。表示しきれない場合は，文言の最後に・・・を表示し省略される。
【０１３８】
「商品のプロモーション画像」領域６２２には，商品のサムネイル静止画やサムネイル動画が表示される。
【０１３９】
「プログラム詳細表示用キャスト」領域６２４には，プログラム自体に関する詳細情報が表示される。例えば，監督・出演者・上映時間・容量・製作国・年度・ジャンルなど取得したテキストなどが表示される。
【０１４０】
「説明用テキスト」領域６２６には，商品に関する説明などのテキストが表示される。例えば，商品と映画との関係などが表示される。
【０１４１】
「購入」アイコン６２８は，アイコンを押下することにより，商品詳細ページにリンクするウェブブラウザを立ち上げることが可能な機能アイコンである。
【０１４２】
「戻る」アイコン６３０は，アイコンを押下することにより，直前の画面に遷移することが可能な機能アイコンである。
（４．９  マイライブラリ画面（ＤＬ確認画面））
図３４には，マイライブラリに関連する画面のうち，ダウンロード確認画面の構成例が示されている。すでに説明したように，図３０に示すプログラム画面において，「マイライブラリ登録（ダウンロード）」アイコン５９８を起動させることにより，マイライブラリ画面に遷移する。しかし，マイライブラリへの登録にあたり，本編がダウンロードされていない場合は，図３４に示す，ダウンロード確認画面に遷移する。
【０１４３】
「メッセージ」領域６３２には，Ｍｙ  Ｌｉｂｒａｒｙ登録後の確認メッセージが表示される。図示のように，本編動画がダウンロードされていない場合には，ダウンロードを促す警告メッセージが表示される。
【０１４４】
「タイトル」領域６３４には，マイライブラリに登録した作品のタイトルが表示される。
【０１４５】
「容量／再生時間」領域６３６には，マイライブラリへ登録した作品の容量および再生時間が表示される。
【０１４６】
「ダウンロードする」アイコン６３８は，押下することにより，本編動画のダウンロードを行うことができる。ダウンロード処理後は，ダウンロード受付画面（図示省略）に遷移する。ダウンロード済みの場合には，ダウンロード済みアラート画面（図示省略）に遷移します。また，ダウンロード先の記憶装置の容量が不足している場合は，記憶装置の容量不足アラート画面（図示省略）に遷移する。また，ユーザが非会員の場合は，会員未申告アラート画面（図示省略）に遷移する。ユーザが階層化されており，ダウンロードできない会員の場合には，登録内容変更アラート画面（図示省略）に遷移します。その他のエラーが発生した場合は，ダウンロードその他アラート画面（図示省略）に遷移します
「ダウンロードしない」アイコン６４０が押下された場合には，本編動画のダウンロードは行わずに，直前の画面に遷移する。
（４．９  マイライブラリ画面（登録完了画面））
図３５には，マイライブラリに関連する画面のうち，マイライブラリへの登録完了画面の構成例が示されている。すでに説明したように，図３０に示すプログラム画面において，「マイライブラリ登録（ダウンロード）」アイコン５９８を起動させることにより，マイライブラリ画面に遷移する。しかし，マイライブラリへの登録にあたり，本編がダウンロード中，またはダウンロード済みの場合には，図３５に示す，マイライブラリ登録完了画面に遷移する。
【０１４７】
「メッセージ」領域６４２には，無事にダウンロードが完了すれば，マイライブラリへ登録完了のメッセージが表示される。
【０１４８】
「タイトル」領域６４４には，マイライブラリへ登録した作品のタイトルが表示される。
【０１４９】
「容量／再生時間」領域６４６には，マイライブラリへ登録した作品の容量および再生時間が表示される。
【０１５０】
「閉じる」アイコン６４８は，押下することにより，この画面を閉じる機能アイコンである。
（４．１０  マイライブラリ画面）
図３５〜図３７には，ユーザが嗜好にあった動画ファイルをダウンロードした後のマイライブラリ画面の画面構成例が示されている。
【０１５１】
「タイトル」領域６５０には，本画面のタイトル，すなわち「Ｍｙ  Ｌｉｂｒａｒｙ」が表示される。
【０１５２】
「作品のタイトル」領域６５２には，マイライブラリに登録してある作品のタイトルが再生時間および容量とともに表示される。表示しきれない場合は，文言の最後に・・・を表示し省略する。作品選択時には，図３７に示すように，「本編視聴」アイコン６６８，「詳細」アイコン６７０，「削除」アイコン６７２，「閉じる」アイコン６７４などからなるサブリストが表示される。なお，動画パックの場合には，「詳細」アイコン６７０，「削除」アイコン６７２，「閉じる」アイコン６７４，「動画パック名」アイコンからなるサブリストが表示される。
【０１５３】
「コンテンツ本体のステータス」領域６５４には，本編のダウンロードの残り時間などが表示される。より具体的には，未ダウンロードであるか，ダウンロード中であるか，ダウンロード済であるから，ストリーミングであるかが表示される。
【０１５４】
「必要なクーポン数，価格／ボーナス，ライセンス有効期限」領域６５６では，本編スタートに必要なクーポン数，価格／ボーナス，ユーザが所持しているライセンスの有効期限などが表示される。
【０１５５】
「ご利用明細」アイコン６５８を押下すると，今月のご利用明細を表示するためにウェブブラウザが起動される。指定したサイトには，ご利用明細へのリンクが設定されている。
【０１５６】
「サービスライブラリ」アイコン６６０を押下すると，コンテンツ提供サービスから提供されるライブラリにアクセスするための画面に先制する。
【０１５７】
「戻る」アイコン６６２は，直前の画面に遷移するための機能アイコンである。
【０１５８】
「上」アイコン６６４は，マイライブラリの一覧情報を上方にページ送りする機能をアイコンである。
【０１５９】
「下」アイコン６６６は，マイライブラリの一覧情報を下方にページ送りする機能をアイコンである。
【０１６０】
「本編視聴」アイコン６６８は，本編を視聴するための機能アイコンである。本編がダウンロードされていない場合には，ダウンロード確認アラート画面（図示省略）に遷移する。本編がダウンロード済みの場合には，アイコンを押下すると，本編画面に遷移する。本編がダウンロード中の場合には，アイコンを押下すると，ダウンロード中アラート画面に遷移する。
【０１６１】
「詳細」アイコン６７０は，アイコンを押下すると，プログラム（映画紹介ページ）画面に遷移する機能アイコンである。
【０１６２】
「削除」アイコン６７２は，マイライブラリから選択したプログラムを削除する機能ブロックである。動画パックの場合には，全エピソードを一括削除することができる。
【０１６３】
「閉じる」アイコン６７４は，サブリストを閉じる機能アイコンである。
【０１６４】
「動画パック名／ステータス」アイコン６７６は，動画パックのタイトルを表示する機能アイコンである。アイコン押下時，ダウンロード済みの場合は，動画パックアイテムの視聴を行い，その他の場合は，ダウンロードアラート画面を表示します。ダウンロード中の場合には，動画パックのダウンロードの残り時間を表示します。ステータスとしては，未ダウンロード，ダウンロード中，ダウンロード済のいずれかを表示することができる。
（４．１１  マイライブラリからの削除画面）
図３９および図４０には，マイライブラリからの削除画面の画面構成例が示されている。ユーザは，この画面を用いて，視聴が終わるなどして不必要となったプログラムをマイライブラリから削除することが可能である。
【０１６５】
「メッセージ」領域６７８には，本画面のタイトル，すなわち，マイライブラリからの削除確認メッセージが表示される。
【０１６６】
「削除指定」領域６８０には，削除する対象の作品タイトルが表示される。
【０１６７】
「削除容量」領域６８２には，削除する対象の作品容量が表示される。
【０１６８】
「削除後空き容量」領域６８４には，削除後のＨＤの空き容量が表示される。
【０１６９】
「ライセンス有効期限」領域６８６には，ライセンスの有効期限が表示されるが，ライセンスの有効なコンテンツの場合のみ表示される。
【０１７０】
「容量円グラフ」アイコン６８８では，全容量・削除容量・削除後容量を示す円グラフの静止画が表示される。
【０１７１】
「削除」アイコン６９０は，マイライブラリから指定作品情報を削除し，マイライブラリから図４０に示す削除完了画面に遷移する機能アイコンである。削除対象のコンテンツがライセンス有効の場合，削除確認画面を強制的に表示する。
【０１７２】
「キャンセル」アイコン６９２は，削除処理をキャンセルし，図３８に示すマイライブラリ画面に遷移する機能アイコンである。
「次回からこのアラートを出さない」チェックボックス６９４は，チェックボックスにチェックを入れた場合，次回から確認画面に遷移しないように機能するチェックボックスである。通常，デフォルトはオフに設定される。
【０１７３】
「メッセージ」領域６９６は，本画面のタイトル，すなわち，マイライブラリからの削除完了メッセージが表示される。
【０１７４】
「容量円グラフ」アイコン６９８では，全容量・使用中容量・空容量を示す円グラフの静止画が表示される。
【０１７５】
「現在の使用量」領域７００には，現在使用中の記憶装置の容量が表示される。
【０１７６】
「現在の空容量」領域７０２には，現在空いている記憶装置の容量が表示される。
【０１７７】
「閉じる」アイコン７０４は，この画面を閉じる機能アイコンである。
【０１７８】
以上説明したようなＧＵＩを利用しながら，ユーザは，嗜好にあったコンテンツデータを雑誌に含まれるプログラムの中から見つけ出し，所定の認証／課金手続を経た上で，獲得することが可能となる。また，サービス提供者側も，ユーザを導きたいコンテンツデータをうまくまとめることにより，コンテンツデータおよびその関連商品の販売機会を増大させることができる。
【０１７９】
以上，添付図面を参照しながら，本発明の好適な実施形態にかかるコンテンツ提供システム，コンテンツ提供サーバ，情報処理装置およびコンピュータプログラムについて説明したが，本発明はかかる例に限定されない。当業者であれば，特許請求の範囲に記載の技術的思想の範疇内において，各種の変更例または修正例に想到することが可能であり，それらについても当然に本発明の技術的範囲に属するものと了解される。
【０１８０】
特に，本明細書において用いた「雑誌リスト」「雑誌」「プログラム」「アイテム」「パックアイテム」といった用語は，発明の理解を容易にするために用いたものであり，本発明の技術的範囲を判断するにあたっては，これらの用語によって限定的に解釈してはならない。また，画面構成例等についても，これらは一例に過ぎず，サービスの形態に応じて，さまざまに変更して適用できることは言うまでもない。
【産業上の利用可能性】
【０１８１】
本発明は，動画などの大容量コンテンツデータを通信網を介して配信するコンテンツ提供サービスに好適に適用できる。
【図面の簡単な説明】
【０１８２】
【図１】本発明の好適な実施形態にかかるコンテンツ提供システムの概略構成を示すブロック図である。
【図２】本発明の好適な実施形態にかかるクライアント２００の概略構成を示すブロック図である。
【図３】本発明の好適な実施の形態にかかるコンテンツデータ提供サービスにおいて採用されるデータ構造を階層的に示した説明図である。
【図４】本発明の好適な実施の形態にかかるコンテンツデータ提供サービスにおいて採用されるデータ構造の各構成要素のメタ情報を例示する説明図である。
【図５】本発明の好適な実施の形態にかかる雑誌リスト情報の対象データの一覧を示す説明図である。
【図６】本発明の好適な実施の形態にかかる雑誌リスト情報の対象データのＸＭＬ構成を示す説明図である。
【図７】本発明の好適な実施の形態にかかる雑誌情報の対象データの一覧を示す説明図である。
【図８】本発明の好適な実施の形態にかかる雑誌情報の対象データのＸＭＬ構成を示す説明図である。
【図９】本発明の好適な実施の形態にかかるプログラム情報の対象データの一覧を示す説明図である。
【図１０】本発明の好適な実施の形態にかかるプログラム情報の対象データの一覧を示す説明図である。
【図１１】本発明の好適な実施の形態にかかるプログラム情報の対象データのＸＭＬ構成を示す説明図である。
【図１２】本発明の好適な実施の形態にかかるプログラム情報の対象データのＸＭＬ構成を示す説明図である。
【図１３】本発明の好適な実施の形態にかかるアイテム情報の対象データの一覧を示す説明図である。
【図１４】本発明の好適な実施の形態にかかるアイテム情報の対象データの一覧を示す説明図である。
【図１５】本発明の好適な実施の形態にかかるアイテム情報の対象データのＸＭＬ構成を示す説明図である。
【図１６】本発明の好適な実施の形態にかかるパックアイテム情報の対象データの一覧を示す説明図である。
【図１７】本発明の好適な実施の形態にかかるパックアイテム情報の対象データのＸＭＬ構成を示す説明図である。
【図１８】本発明の好適な実施の形態にかかるデータ構造における共有概念の一例を示す説明図である。
【図１９】本発明の好適な実施の形態にかかるデータ構造における共有概念の一例を示す説明図である。
【図２０】本発明の好適な実施の形態にかかるデータ構造における共有概念の一例を示す説明図である。
【図２１】本発明の好適な実施の形態にかかるデータ構造における共有概念の一例を示す説明図である。
【図２２】本発明の好適な実施形態にかかるデータ構造を表示装置に表示する基本画面（プログラム画面）の画面構成例を示す説明図である。
【図２３】本発明の好適な実施形態にかかるデータ構造を表示装置に表示する「雑誌リスト画面」の画面構成例を示す説明図である。
【図２４】本発明の好適な実施形態にかかるデータ構造を表示装置に表示する「トップ画面」の画面構成例を示す説明図である。
【図２５】本発明の好適な実施形態にかかるデータ構造を表示装置に表示する「クリップ画面」の画面構成例を示す説明図である。
【図２６】本発明の好適な実施形態にかかるデータ構造を表示装置に表示する「次号予告画面」の画面構成例を示す説明図である。
【図２７】本発明の好適な実施形態にかかるデータ構造を表示装置に表示する「本編画面」の画面構成例を示す説明図である。
【図２８】本発明の好適な実施形態にかかるデータ構造を表示装置に表示する「本編画面」の画面構成例を示す説明図である。
【図２９】本発明の好適な実施形態にかかるデータ構造を表示装置に表示する「本編画面」の画面構成例を示す説明図である。
【図３０】本発明の好適な実施形態にかかるデータ構造を表示装置に表示する「プログラム（映画紹介ページ）」の画面構成例を示す説明図である。
【図３１】本発明の好適な実施形態にかかるデータ構造を表示装置に表示する「プログラム（映画紹介ページ）」画面構成例を示す説明図である。
【図３２】本発明の好適な実施形態にかかるデータ構造を表示装置に表示する「プログラム（映画紹介ページ）」画面構成例を示す説明図である。
【図３３】本発明の好適な実施形態にかかるデータ構造を表示装置に表示する「プログラム（商品紹介ページ）」画面構成例を示す説明図である。
【図３４】本発明の好適な実施形態にかかるデータ構造を表示装置に表示する「マイライブラリ（ＤＬ確認画面）」の画面構成例を示す説明図である。
【図３５】本発明の好適な実施形態にかかるデータ構造を表示装置に表示する「マイライブラリ（登録完了画面）」の画面構成例を示す説明図である。
【図３６】本発明の好適な実施形態にかかるデータ構造を表示装置に表示する「マイライブラリ画面」の画面構成例を示す説明図である。
【図３７】本発明の好適な実施形態にかかるデータ構造を表示装置に表示する「マイライブラリ画面」の画面構成例を示す説明図である。
【図３８】本発明の好適な実施形態にかかるデータ構造を表示装置に表示する「マイライブラリ画面」の画面構成例を示す説明図である。
【図３９】本発明の好適な実施形態にかかるデータ構造を表示装置に表示する「マイライブラリの削除画面」の画面構成例を示す説明図である。
【図４０】本発明の好適な実施形態にかかるデータ構造を表示装置に表示する「マイライブラリの削除画面」の画面構成例を示す説明図である。
【符号の説明】
【０１８３】
１００    コンテンツ提供システム
１１０    コンテンツ提供サーバ
１２０    ライセンスサーバ
１２２    コンテンツ／ライセンスデータベース
１２４    会員データベース
１２６    ライセンス管理サーバ
１２８    認証サーバ
１３０    課金管理サーバ
１３２    ウェブサーバ
１５０    ブロードバンド通信網
２００    クライアント
２１０    管理装置
２１０ａ  サーバインタフェース
２１０ｂ  時刻管理部
２１０ｃ  システム制御部
２１０ｄ  コンテンツライセンス管理部
２１０ｅ  ユーザインタフェース
２１２    ＰＣ時計
２１４    コンテンツデータファイル
２１６    ライセンス情報ファイル
２１８    ユーザ情報機器情報ファイル
３００    データ構造
３１０    雑誌リスト（コンテンツ番組目録リスト）
３２０    雑誌（コンテンツ番組目録情報）
３３０    プログラム（コンテンツ番組情報）
３４０    アイテム（コンテンツアイテム情報）
３５０    パックアイテム（コンテンツアイテム情報パック）
【図１】
2008107911.tif 000003
【図２】
2008107911.tif 000004
【図３】
2008107911.tif 000005
【図４】
2008107911.tif 000006
【図５】
2008107911.tif 000007
【図６】
2008107911.tif 000008
【図７】
2008107911.tif 000009
【図８】
2008107911.tif 000010
【図９】
2008107911.tif 000011
【図１０】
2008107911.tif 000012
【図１１】
2008107911.tif 000013
【図１２】
2008107911.tif 000014
【図１３】
2008107911.tif 000015
【図１４】
2008107911.tif 000016
【図１５】
2008107911.tif 000017
【図１６】
2008107911.tif 000018
【図１７】
2008107911.tif 000019
【図１８】
2008107911.tif 000020
【図１９】
2008107911.tif 000021
【図２０】
2008107911.tif 000022
【図２１】
2008107911.tif 000023
【図２２】
2008107911.tif 000024
【図２３】
2008107911.tif 000025
【図２４】
2008107911.tif 000026
【図２５】
2008107911.tif 000027
【図２６】
2008107911.tif 000028
【図２７】
2008107911.tif 000029
【図２８】
2008107911.tif 000030
【図２９】
2008107911.tif 000031
【図３０】
2008107911.tif 000032
【図３１】
2008107911.tif 000033
【図３２】
2008107911.tif 000034
【図３３】
2008107911.tif 000035
【図３４】
2008107911.tif 000036
【図３５】
2008107911.tif 000037
【図３６】
2008107911.tif 000038
【図３７】
2008107911.tif 000039
【図３８】
2008107911.tif 000040
【図３９】
2008107911.tif 000041
【図４０】
2008107911.tif 000042